(57)【特許請求の範囲】
【請求項１】
信号を高速伝送する複数の同軸ケーブルを、プリント基板の外部電極に同時に接続することができる同軸多芯コネクタにおいて、
少なくとも２つの平行に配置される格子板と、該平行に配置される格子板に対して直角に配置される複数の格子板と、前記少なくとも２つの平行に配置される格子板と前記直角に配置される複数の格子板を格子状に組み、それによって形成される水平断面正方形の複数の角筒状枠組内にそれぞれ配置される信号線用コンタクトとを含む格子構造体と、
前記格子構造体を収容し、少なくとも下方に向かって開放する収容空間が形成されているハウジングと、
を備え、
前記少なくとも２つの平行に配置された格子板は、前記角筒状枠組内に収容される前記同軸ケーブルのシールドに接続されるとともに、その下端には接地用コンタクトが設けられ、
前記信号線用コンタクトは、柱状の絶縁体と、該柱状の絶縁体の中心を上下に貫通し、該柱状の絶縁体の上下から突出するように、該柱状の絶縁体と一体に形成され、前記同軸ケーブルの信号が伝送される中心導体に対し少なくとも上下方向に摺動可能に接続される中心コンタクトピンとを含み、
前記信号線用コンタクトは、前記柱状の絶縁体から下方に突出する前記中心コンタクトピンの下端が前記ハウジングの下面から突出するように、コイルバネを介して前記柱状の絶縁体が下方に向かって付勢され、前記信号線用コンタクトが前記角筒状枠組内に上下動可能に配置されていることを特徴とする同軸多芯コネクタ。
【請求項２】
前記信号線用コンタクトを構成する柱状の絶縁体は、円柱状に形成されるとともに、該円柱状の絶縁体の外周にらせん溝が形成されており、
前記少なくとも２つの平行に配置される格子板には、前記らせん溝に係合するストッパ片が形成されており、
前記信号線用コンタクトは、その上下動に伴い回転することを特徴とする請求項１に記載の同軸多芯コネクタ。
【請求項３】
前記接地用コンタクトは、弾性変形可能に形成されていることを特徴とする請求項１または２に記載の同軸多芯コネクタ。
【請求項４】
前記ハウジングは、該ハウジングの長手方向に移動可能なスライダをさらに含み、
前記スライダは、複数のフックを有するスライダ本体と該スライダ本体を操作するスライダレバーとを含み、
前記ハウジングは、前記プリント基板に予め取り付けられている固定ガイドに設けられた係合ピンに前記スライダのフックが係合することで、ハウジングの下面がプリント基板に接近するとともに、前記プリント基板に固定されることを特徴とする請求項１ないし３のいずれかに記載の同軸多芯コネクタ。
【発明の詳細な説明】
【技術分野】
【０００１】
本発明は、金属板を格子状に組み合わせて形成したシールド構造を有する、プリント基板押し付け型同軸多芯コネクタに関する。
【背景技術】
【０００２】
複数の高速伝送用同軸ケーブルをプリント基板に接続する同軸多芯コネクタは、特許文献１、２及び３に示されるように、従来からよく知られている。従来の同軸多芯コネクタは、概ね、各同軸ケーブルに接続されたコンタクトピンとしてのプローブを絶縁ブロックに多数並べ、該絶縁ブロック全体をプリント基板に対して押し付けることで、プローブを対応するプリント基板の外部電極に接触させる。それにより、複数の同軸ケーブルの一端側とプリント基板が電気的に接続され、結果として、例えば、同軸ケーブルの他端側に接続される電子機器とプリント基板が電気的に接続される。
【０００３】
【特許文献１】実願昭５９−１１３２５号（実開昭６０−１２３６６５号）のマイクロフィルム
【特許文献２】特開２００３−２３２８３４号公報
【特許文献３】特表２００５−５３７４８１号公報
【発明の開示】
【発明が解決しようとする課題】
【０００４】
近年、プリント基板と電子機器との信号線の数が高密度化するに伴い、プローブも小型化を要求される。ところで、従来の同軸多芯コネクタに用いられるプローブ各々は、全長にわたって同軸構造を有している。したがって、プローブの小型化に伴い、シールド用の外部導体と信号線用の中心導体との距離が小さくなり、必要なインピーダンスを確保できなくなり、安定した信頼性のある信号伝送ができなくなる恐れがある。逆に言えば、必要なインピーダンスを確保しようとすれば、プローブの直径が大きくなり、プローブを絶縁ブロックに高密度に配置することができなくなる。また、プローブの製造組み立てが難しくなり、同軸多芯コネクタの製造コストを押し上げる恐れもある。
【０００５】
本発明の目的は、これらの問題点に鑑み、信頼性の高い信号の高速伝送が可能となり、プリント基板の外部電極に接触するコンタクトピンを高密度に配置することが可能であるとともに、製造組立が容易な同軸多芯コネクタを提供することにある。
【課題を解決するための手段】
【０００６】
上記目的を達成するために、本発明に係る同軸多芯コネクタは、信号を高速伝送する複数の同軸ケーブルを、プリント基板の外部電極に同時に接続することができる同軸多芯コネクタにおいて、少なくとも２つの平行に配置される格子板と、該平行に配置される格子板に対して直角に配置される複数の格子板と、前記少なくとも２つの平行に配置される格子板と前記直角に配置される複数の格子板を格子状に組み、それによって形成される水平断面正方形の複数の角筒状枠組内にそれぞれ配置される信号線用コンタクトとを含む格子構造体と、前記格子構造体を収容し、少なくとも下方に向かって開放する収容空間が形成されているハウジングとを備え、前記少なくとも２つの平行に配置された格子板は、前記角筒状枠組内に収容される前記同軸ケーブルのシールドに接続されるとともに、その下端には接地用コンタクトが設けられ、前記信号線用コンタクトは、柱状の絶縁体と、該柱状の絶縁体の中心を上下に貫通し、該柱状の絶縁体の上下から突出するように、該柱状の絶縁体と一体に形成され、前記同軸ケーブルの信号が伝送される中心導体に対し少なくとも上下方向に摺動可能に接続される中心コンタクトピンとを含み、前記信号線用コンタクトは、前記柱状の絶縁体から下方に突出する前記中心コンタクトピンの下端が前記ハウジングの下面から突出するように、コイルバネを介して前記柱状の絶縁体が下方に向かって付勢され、前記信号線用コンタクトが前記角筒状枠組内に上下動可能に配置されていることを特徴とする。
【０００８】
本発明に係る同軸多芯コネクタは、また、前記信号線用コンタクトを構成する柱状の絶縁体は、円柱状に形成されるとともに、該円柱状の絶縁体の外周にらせん溝が形成されており、前記少なくとも２つの平行に配置される格子板には、前記らせん溝に係合するストッパ片が形成されており、前記信号線用コンタクトは、その上下動に伴い回転することが好ましい。
【０００９】
本発明に係る同軸多芯コネクタは、さらに、前記ハウジングは、該ハウジングの長手方向に移動可能なスライダをさらに含み、前記スライダは、複数のフックを有するスライダ本体と該スライダ本体を操作するスライダレバーとを含み、前記ハウジングは、前記プリント基板に予め取り付けられている固定ガイドに設けられた係合ピンに前記スライダのフックが係合することで、ハウジングの下面がプリント基板に接近するとともに、前記プリント基板に固定されることが好ましい。
【発明の効果】
【００１０】
本発明は、シールドとして機能する格子板を格子状に組むことで、信号を高速伝送する信号線としての中心コンタクトピンが水平断面正方形の角筒状の枠組内に配置されることになり、シールドと信号線の間に大きな空間を得ることが可能となる。それにより、充分なインピーダンスを確保することが可能となり、信頼性の高い信号伝送が可能となる。
【００１１】
また、同軸多芯コネクタに接続される同軸ケーブルは、左右前後に隣接する同軸ケーブルと、シールドとして機能する格子板を共有することで、同軸多芯コネクタに高密度に同軸ケーブルを接続することができる。
【００１２】
さらに、本発明に係る同軸多芯コネクタは、複数の格子板を格子状に組み、ハウジングに設けられた収容空間内に嵌め込むだけでよいので、構造も簡単で、組立、製造も容易である。
【００１３】
また、信号線用コンタクトは、ハウジングをプリント基板に取り付けるとき、該信号線用コンタクトが上方に移動することに伴い回転可能に形成されることで、信号線用コンタクトの中心コンタクトピンがプリント基板の外部電極をワイピングすることができる。それにより、確実な電気的接続が保証される。
【００１４】
さらに、本発明に係る同軸多芯コネクタは、スライダを介してプリント基板に接続することができ、それにより、小さな力で、容易に同軸多芯コネクタをプリント基板に取り付けることができる。結果として、多数の同軸ケーブルをプリント基板に同時に電気的に接続することができる。
【発明を実施するための最良の形態】
【００１５】
以下、添付の図面を用いて本発明に係る同軸多芯コネクタの好ましい実施態様について説明する。
【００１６】
図１ないし６は、同軸多芯コネクタ１のプリント基板１００への取り付けの概略を説明するための図である。図１は、プリント基板に接続される本発明に係る同軸多芯コネクタを示す概略正面図である。図２は、プリント基板に接続される直前の状態を説明するための、図１の同軸多芯コネクタの断面正面図であり、図３は、プリント基板に接続された状態を説明するための、図２と同様の同軸多芯コネクタの断面正面図である。図４は、プリント基板に接続された状態を示す図３の同軸多芯コネクタを左側から見た側面図である。図５は、図１の同軸多芯コネクタ用の、プリント基板に予め取り付けられる固定ガイドの上面図である。図６は、図１の同軸多芯コネクタの概略下面図である。
【００１７】
本明細書において、中心線Ｏ２−Ｏ２は、同軸多芯コネクタ１の左右（長手）方向に延びる中心線であり、中心線Ｏ３−Ｏ３は、中心線Ｏ２−Ｏ２に直交し、同軸多芯コネクタ１の前後（幅）方向に延びる中心線であり、中心線Ｏ１−Ｏ１は、中心線Ｏ２−Ｏ２と中心線Ｏ３−Ｏ３との交点を通り、中心線Ｏ２−Ｏ２と中心線Ｏ３−Ｏ３に直交する上下（高さ）方向に延びる中心線である。
【００１８】
本発明の実施態様に係る同軸多芯コネクタ１は、概略、同軸ケーブル８０とハウジング１０を接続する接続機構、接地用コンタクト４９や信号線用コンタクト６０を有するハウジング１０、該ハウジング１０に設けられているスライダ７０及びプリント基板１００に予め固定されている固定ガイド９０から構成される取り付け機構を備えている。
【００１９】
最初に、本願発明に係る同軸多芯コネクタ１のプリント基板１００への取り付け機構に関して説明する。
【００２０】
図１ないし３に示されるように、本発明に係る同軸多芯コネクタ１は、取り付け機構を構成するスライダ７０および固定ガイド９０を介して、複数の同軸ケーブル８０をプリント基板１００に一括して電気的に接続することができるように構成されている。言い換えれば、本発明に係る同軸多芯コネクタ１は、取り付け機構を介してプリント基板１００に対して着脱自在に構成されている。同軸多芯コネクタ１は、概略、絶縁ブロックとしてのハウジング１０及びプリント基板１００に固定されている固定ガイド９０と連動してハウジング１０をプリント基板１００に取り付けるスライダ７０を備えている。スライダ７０及び固定ガイド９０は、同軸多芯コネクタ１（より詳細には、ハウジング１０）のプリント基板１００への取り付け機構を構成している。ハウジング１０には、後述するように、プリント基板１００の対応する外部電極（不図示）などに接触可能な複数のコンタクト４９、６０が設けられており、該複数のコンタクト４９、６０それぞれには、対応する複数の同軸ケーブル８０が着脱自在に接続されている。
【００２１】
同軸多芯コネクタ１のプリント基板１００への取り付け機構を構成するスライダ７０は、垂直に保持される板状部材であり、スライダレバー７１及びこれに続く（本実施態様では、スライダレバー７１の右側に続く）スライダ本体７２を有する。スライダ本体７２には、それぞれの長軸が水平方向左右に一直線になるように配置される複数（本実施態様では、４つ）の長孔７４が、形成されている。該長孔７４各々は、図２、３に示されるように、前後方向（紙面に対して垂直方向）にスライダ本体７２を貫通している。また、スライダ本体７２の下方には、複数の長孔７４それぞれに対応して略Ｌ字形のフック７６が複数突出形成されている。フック７６各々は、垂直部分７６ａ及び水平部分７６ｂを含み、水平部分７６ｂの先端部は、右下がりの先端傾斜面７６ｃとして形成される。フック７６とスライダ本体７２の下端との間に形成される係合凹部７７は、長孔７４に対応して位置されるように形成される。係合凹部７７は、例えば、図２に示されるように、右方に向かって開放している。したがって、後述する固定ガイド９０の係合ピン９５が係合凹部７７の開放端から係合凹部７７内に嵌合し得る。
【００２２】
スライダ７０のスライダ本体７２は、図２、３に示されるように、下方に向けて開放するように形成されているハウジング１０のスライダ収容空間１４内に、水平方向左右（矢印Ｆ１、Ｆ２）に移動可能に収容される。スライダ収容空間１４は、図６に示されるように、ハウジング１０の左右方向に延びる中心線Ｏ２−Ｏ２に沿って形成されるガイド本体収容空間１３の上方に、同じく中心線Ｏ２−Ｏ２に沿って形成されている。スライダ収容空間１４の幅（前後方向の長さ）は、スライダ７０の厚さ（前後方向の長さ）より若干大きく形成されることが好ましい。スライダ収容空間１４は、また、図２、３に示されるように、スライダレバー７１が左方に通り抜けることができるように、図において左側も開放されている。
【００２３】
スライダ７０は、スライダ本体７２に設けられている長孔７４内に、スライダ収容空間１４を横断するガイドピン１７を貫通させることで、該スライダ収容空間１４及びガイドピン１７によりスライダ収容空間１４内に水平方向左右に移動可能に保持されている。スライダ７０は、ガイドピン１７が長孔７４内を移動可能な距離だけ水平方向左右に移動可能である。具体的には、スライダ７０は、ガイドピン１７が長孔７４の右端に位置する、図２に示される第１の位置と、ガイドピン１７が長孔７４の左端に位置する、図３に示される第２の位置との間を水平方向左右に移動することができる。
【００２４】
なお、スライダ７０のハウジング１０への取り付けは、先ず、スライダ７０のスライダ本体７２をスライダ収容空間１４内に挿入して後、ガイドピン１７をスライダ本体７２の長孔７４に対して貫通させることで取り付けられ得る。この場合、ガイドピン１７自体は、ハウジング１０のスライダ収用空間１４を形成する前後の壁を貫通する貫通孔（不図示）に圧入されることでハウジング１０に固定される。
【００２５】
取り付け機構を構成する固定ガイド９０は、ネジ９９等の固定手段を用いて予めプリント基板１００に固定されている。本実施態様における固定ガイド９０は、図５に示されるように、左右に細長い垂直断面矩形状のガイド本体９１、該ガイド本体９１の左右両側に設けられる円柱状の左ガイドポスト９２及び右ガイドポスト９３を備えている。
【００２６】
左右のガイドポスト９２、９３は、ハウジング１０の両側に形成されている左ガイドポスト収容空間１５及び右ガイドポスト収容空間１６に嵌め込まれることで、ハウジング１０のプリント基板１００に対する位置決めをする。具体的には、本実施態様では、ハウジング１０の左右方向に延びる中心線Ｏ２−Ｏ２及び前後方向に延びる中心線Ｏ３−Ｏ３（図６参照）と固定ガイド９０の左右方向に延びる中心線Ｏ２−Ｏ２及び前後方向に延びる中心線Ｏ３−Ｏ３（図５参照）とが一致するように位置決めがなされる。結果として、左右のガイドポスト９２、９３は、ハウジング１０に設けられたコンタクト４９、６０がプリント基板１００の外部電極に対応するように位置決めをする。左右のガイドポスト９２、９３は、また、固定ガイド９０をプリント基板１００に固定する固定部として構成されている。本実施態様では、左右のガイドポスト９２、９３には、下方に向かって開放するネジ孔が形成され、該ネジ孔を介してプリント基板にネジ９９で固定される。左右のガイドポスト９２、９３それぞれの上方端は、ガイドポスト９２、９３の対応するハウジング１０の収容空間１５、１６への嵌め込みを容易にするために、上方に向かってテーパ状に形成されていることが好ましい。なお、９２ａは、スライダ７０のスライダレバー７１が案内される溝である。
【００２７】
ガイド本体９１には、上記スライダ７０のフック７６が収容される左スリット９４ａ及び右スリット９４ｂが形成されている。スリット９４ａ、９４ｂは、本実施態様においては、前後方向に延びる中心線Ｏ３−Ｏ３に対して左右対称に設けられている。これは、固定ガイド９０をプリント基板１００に対して固定する固定部９１ａが固定ガイド９０の長手方向（左右方向）中心部に設けられているためであり、スリット９４ａ、９４ｂは、該固定部９１ａの位置により必ずしもこの構造に限られるものではない。左右のスリット９４ａ、９４ｂそれぞれは、本実施態様のようにガイド本体９１を上下方向に貫通していてもよいし、していなくてもよい。スリット９４ａ、９４ｂ内には、スライダ７０に形成されている係合凹部７７に嵌合する複数の係合ピン９５が中心線Ｏ２−Ｏ２に対して直交するように形成される。
【００２８】
係合ピン９５は、固定ガイド９０のガイドポスト９２、９３がハウジング１０のポスト収容空間１５、１６内に嵌め込まれたとき、第１の位置にあるスライダ７０のフック７６の先端傾斜面７６ｃの右方に位置するように、ガイド本体９１に取り付けられる。係合ピン９５それぞれは、スリット９４ａまたは９４ｂを前後に挟むガイド本体９１の壁を貫通して形成される貫通孔９７、９８を介してガイド本体９１に取り付けられる。
【００２９】
以上の構成を備える取り付け機構を介して、同軸多芯コネクタ１のハウジング１０がプリント基板１００に対して取り付けられる操作について図１ないし３を用いて説明する。
【００３０】
取り付け機構を構成する固定ガイド９０は、上述したようにプリント基板１００に予め取り付けられている。また、ハウジング１０も同軸ケーブル８０に予め接続されている。
【００３１】
図１に示されるように、固定ガイド９０の上方にハウジング１０を配置する。この時、取り付け機構を構成するスライダ７０は、左方（矢印Ｆ１方向）に一杯に引かれている、すなわち、図２に示される第１の位置にある。
【００３２】
続いて、固定ガイド９０のガイドポスト９２、９３が、対応するハウジング１０のガイドポスト収容空間１５、１６内に嵌め込まれるように、ハウジング１０を下方に下ろす。それにより、ハウジング１０はプリント基板１００に対して所定に位置に位置決めされ、ハウジング１０に設けられ、ハウジング１０の下面から若干下方に突出しているコンタクト４９、６０は、それぞれ、対応するプリント基板１００の外部電極（不図示）上に置かれる。このとき、固定ガイド９０のガイド本体９１は、ハウジング１０のガイド収容空間１３内に収容されるとともに、スライダ７０のフック７６は、固定ガイド９０のスリット９４ａ、９４ｂ内に収容される。また、スリット９４ａまたは９４ｂ内に設けられている係合ピン９５は、図２に示されるように、概略、スライダ７０の係合凹部７７の開放端右方に位置している。より詳細には、係合ピン９５は、フック７６の水平部分７６ｂの先端傾斜面７６ｃの右方に位置している。
【００３３】
図２に示される状態から、スライダレバー７１を介して、スライダ７０を図２に示される第１の位置から図３に示される第２の位置へ右方（矢印Ｆ２方向）に移動させる。係合ピン９５は、フック７６の水平部分７６ｂの先端傾斜面７６ｃに案内され、スライダ７０の右方への移動に伴い、上昇させられる。しかしながら、係合ピン９５を有する固定ガイド９０は、プリント基板１００に固定されているので、スライダ７０が、結果としてハウジング１０が、相対的に下方（矢印Ｐ方向）に押し下げられることになる。それにより、ハウジング１０に設けられているコンタクト４９、６０は、それぞれに付与されているバネ力に抗してプリント基板１００の外部電極に対して矢印Ｐ方向に押し付けられる。
【００３４】
スライダ７０が図３に示される第２の位置に達すると、スライダ７０の右方への移動が係合ピン９５によって規制される。これとともに、ハウジング１０は、固定ガイド９０、延いては、プリント基板１００に対して固定される。同時に、コンタクト４９、６０は、所望の接圧で電気的に安定した状態でプリント基板１００の外部電極に接触することが可能となる。
【００３５】
次に、本発明の実施態様に係る同軸多芯コネクタ１のハウジング１０に設けられる格子構造体２０及び該格子構造体２０と電気的に接続される同軸ケーブル８０との接続機構について図７ないし１６を用いて説明する。
【００３６】
図７は、図６のＯ３−Ｏ３線に沿って断面したハウジングの概略後半分の断面図であり、部分的に、同軸ケーブルが接続され、コンタクトがプリント基板に接触している状態を示している。図８は、図７のＡ−Ａ線に沿って断面した、同軸ケーブルが接続されていない状態のハウジングの部分断面図であり、さらに、部分的に、格子構造体を構成する第３の格子板がＢ−Ｂ線に沿って断面された状態を示している。図９は、図７のハウジングの概略部分拡大底面図であり、図１０は、図７のハウジングの概略部分拡大上面図である。図１１は、図７に示されるハウジングの格子構造体のみの部分斜視図であり、図１２は、信号線用コンタクトの斜視図である。図１３は、格子構造体を構成する第１の格子板の正面図であり、図１４は、格子構造体を構成する第２の格子板の正面図であり、図１５は、格子構造体を構成する第３の格子板の正面図である。図１６は、信号線用コンタクト及び接地用コンタクトのプリント基板への接触を説明するための図であり、（ａ）は、接触直前の状態、（ｂ）は接触完了時の状態をそれぞれ示す。図１７は、同軸ケーブルの一端部に形成される接続端部の構造を説明するための図であり、（ａ）は、正面図、（ｂ）は断面図である。
【００３７】
ハウジング１０は、電気的に絶縁性の合成樹脂材料から成形され、左右方向に延在する概略細長い直方体をなしている（図１ないし６参照）。ハウジング１０には、複数の同軸ケーブル収容空間１９、２つの格子構造体収容空間１１、１２、１つのガイド本体収容空間１３とスライダ収容空間１４及び２つのガイドポスト収容空間１５、１６が形成されている。
【００３８】
同軸ケーブル収容空間１９各々は、本実施態様では、図７に示されるように、概ね、ハウジング１０の概略上半分に形成されており、上下方向にハウジング１０を貫通し、下方で後述する格子構造体収容空間１１、１２に連通している。ケーブル収容空間１９は、上から見て、図１０に示されるように、連結部１９ｂに対して対称的に配置される２つの円部１９ａを、該連結部１９ｂを介して連結された形状に形成されている。したがって、各同軸ケーブル収容空間１９内には、各円部１９ａ内にそれぞれに同軸ケーブル８０が１つ収容され、都合２つの同軸ケーブル８０が収容されることになる。同軸ケーブル収容空間１９は、それぞれの長手方向中心線Ｏ４−Ｏ４がハウジング１０の中心線Ｏ３−Ｏ３に平行に且つ互いに平行に配列され（図１０参照）、ハウジング１０の中心線Ｏ２−Ｏ２に対して対称的に都合２列に配置される。
【００３９】
同軸ケーブル収容空間１９の各円部１９ａは、同軸ケーブル８０の外径より若干大きい径を有する。同軸ケーブル収容空間１９の連結部１９ｂには、後述するように第１の格子板３０が同軸ケーブル収容空間１９の２つの円部１９ａを仕切るべく、該第１の格子板３０が係合する、上下方向に延在する縦溝１９ｃが、連結部１９ｂに直交して突出形成される。
【００４０】
２つの格子構造体収容空間１１、１２各々は、ハウジング１０の概略下半分に形成され、水平断面概略矩形状をなしており、下方に向かって開放している。格子構造体収容空間１１、１２各々は、また、上記２列に配列されている複数の同軸ケーブル収容空間１９の各列に対応して形成されている。すなわち、格子構造体収容空間１１、１２は、ハウジング１０の中心線Ｏ２−Ｏ２に対して対称的に互いに平行に配置されるように形成される（図６参照）。各格子構造体収容空間１１、１２内には、後述する格子構造体２０の大部分が収容される。格子構造体収容空間１１、１２各々の外周には、格子構造体２０を構成する第１ないし第３の格子板３０、４０及び５０それぞれの側部が圧入される縦溝（例えば、図９に示されるような縦溝１２ｂ）が外側に向かって突出形成されていることが好ましい（図６参照）。
【００４１】
ガイド本体収容空間１３は、上記固定ガイド９０のガイド本体９１を収容する空間であり、上記２つの平行な格子構造体収容空間１１、１２の間であって、下方に向かって開放するように形成される。ガイド本体収容空間１３は、概略ガイド本体９１の幅（前後方向の長さ）より若干大きい幅を有し、ガイド本体９１の高さ（上下方向の長さ）とほぼ同じ高さを有する。ガイド本体収容空間１３は、ハウジング１０の中心線Ｏ２−Ｏ２に沿って左右方向に延在し、該ガイド本体収容空間１３の左右に形成されるガイドポスト収容空間１５、１６に連通する。
【００４２】
スライダ収容空間１４は、上記スライダ７０のスライダ本体７２を収容する空間であり、上記ガイド本体収容空間１３の上に形成される。スライダ収容空間１４は、２つの平行な格子構造体収容空間１１、１２の間であって、下方に向かって、すなわち、ガイド本体収容空間１３に向かって開放するように形成される。スライダ収容空間１４は、ハウジング１０の中心線Ｏ２−Ｏ２に沿って左右方向に延在し、ガイドポスト収容空間１５、１６の何れか一方（本実施態様においては、左側のガイドポスト収容空間１５）に連通する。スライダ収容空間１４は、ハウジング１０がスライダ７０及び固定ガイド９０を介してプリント基板１００に固定されたとき、該固定ガイド９０のスリット９４ａ、９４ｂに対向する（図７参照）。
【００４３】
２つのガイドポスト収容空間１５、１６は、上記固定ガイド９０の対応するガイドポスト９２、９３をそれぞれ収容する空間であって、ハウジング１０の左右両側端であって、ハウジング１０の中心線Ｏ２−Ｏ２上に、下方及び外側に向かって開放するように形成される。ガイドポスト収容空間１５、１６各々は、ハウジング１０の位置決めをする機能を発揮させるべく、少なくとも、収容するガイドボスト９２または９３の内側（ハウジング１０の中心線Ｏ３−Ｏ３に面する側）の輪郭（水平断面形状）と同じ形状を有するように形成される（図６参照）。
【００４４】
ここで、格子構造体２０に接続される同軸ケーブル８０の接続機構について図１７を参照して簡単に説明しておく。
【００４５】
同軸ケーブル８０の格子構造体２０への接続機構は、上記従来の同軸多芯コネクタにおける同軸ケーブルのプローブへの接続機構と基本的にほぼ同じである。
【００４６】
同軸ケーブル８０は、高速信号を伝送する中心導体８１、これを取り囲む絶縁体８２、シールドとしての外部導体８３及び被覆体８４を有する。同軸ケーブの一端部に後述する格子構造体２０に電気的に接続されるケーブルコネクタ８５が設けられる。
【００４７】
ケーブルコネクタ８５は、概略、スリーブ８６、コンタクト本体８７及び管状ソケット８８を含んでいる。
【００４８】
管状ソケット８８は、導電性材料からなる管状部材であり、一端が例えば半田付けにより中心導体８１に接続され、他端８８ａが格子構造体２０の信号線用コンタクト６０の中心コンタクトピン６１に接続される。管状ソケット８８の他端８８ａは、先端（図１７（ｂ）において下方）に向かって開放する細長いスリット８８ｂが複数（本実施態様では２つ）等間隔で設けられ、先端に行くにしたがいソケット８８の径が細くなるように形成される。したがって、管状ソケット８８の他端８８ａは、信号線用コンタクト６０の中心コンタクトピン６１に弾性的に接触することが可能となる。結果として、中心コンタクトピン６１は、管状ソケット８８に対して、図１７（ｂ）において上下方向に摺動可能に、かつ回転可能に接続され得る。
【００４９】
コンタクト本体８７は、絶縁性材料からなる円筒状部材であり、先端に挿入孔８７ａを有する内部空間８７ｂ内に上記管状ソケット８８が収容される。コンタクト本体８７は、図１７（ａ）、（ｂ）に示されるように、外周に形成される段部８７ｃより上方は大径部として形成され、該大径部に形成される段部８７ｄにスリーブ８６の先端部が当接することでスリーブ８６を支持する。
【００５０】
スリーブ８６は、導電性材料からなる管状の部材であり、同軸ケーブル８０のシールドを構成する外部導体８３を内部に収容するとともに、該外部導体８３に例えば半田付けにより電気的に接続される。管状のスリーブ８６は、上述したように、その先端がコンタクト本体８７の大径部に設けられた段部８７ｄに当接することでコンタクト本体８７に取り付けられる。スリーブ８６の後端は、同軸ケーブル８０の被覆体８４を覆う位置まで延びている。
【００５１】
次に、本発明の特徴である格子構造体２０について説明する。
【００５２】
格子構造体２０は、第１の格子板３０、接地用コンタクト４９を有する第２の格子板４０、第３の格子板５０及び信号用コンタクト６０を含んでいる。
【００５３】
第１の格子板３０は、上方においては、同軸ケーブル収容空間１９の縦溝１９ｃに収容され、同軸ケーブル収容空間１９を前後に仕切る部材である。第１の格子板３０は、また、下方においては、その両側端部が格子構造体収容空間１１または１２の縦溝に収容され、格子構造体空間１１または１２を前後に仕切る（図６参照）。さらに、第１の格子板３０は、同軸ケーブル８０のシールド用外部導体８３に電気的に接続される接地用導体としての機能を有する部材でもある。
【００５４】
第１の格子板３０は、本実施態様では、２枚の導電性の金属薄板を図１３に示されるように同じ形状に打ち抜き加工し（３０ａ、３０ｂ）、それらを背中合わせに重ねることで形成される。したがって、第１の格子板３０を構成する加工金属薄板３０ａ、３０ｂ各々の形状が全く同じであるので、ここでは、一方の加工金属薄板３０ａの形状についてのみ説明し、他方の加工金属薄板３０ｂについては説明を省略する（なお、加工金属薄板３０ａの部品に対応する加工金属薄板３０ｂの部品は、加工金属薄板３０ａの部品の引用数字に付されるアルファベットａに代えてｂで示されている。）。
【００５５】
加工金属薄板３０ａは、図１３における左右方向の長さがハウジング１０の格子構造体収容空間１１または１２の左右方向の長さより若干大きい長さを有し、上下方向の長さ（高さ）がハウジング１０の高さとほぼ同じ高さを有する、前方から見て概略矩形状をなしている。加工金属薄板３０ａには、上方に向かって開放し、上下方向に延びる複数のスリット３６ａが互いに平行に形成される。スリット３６ａ間には、同軸ケーブル収容空間１９を仕切る複数の仕切り片３１ａが形成される。該仕切り片３１ａは、同軸ケーブル収容空間１９に形成されている縦溝１９ｃ内に嵌め込まれ、格子構造体２０をハウジング１０に固定する。したがって、仕切り片３１ａの幅（左右方向の長さ）ｑは、縦溝１９ｃの間隔がｐであるとすると、該間隔ｐにほぼ等しい長さを有する。また、仕切り片３１ａの幅ｑは、第１ないし第３の格子板３０、４０及び５０により格子構造体２０を構成したとき、同軸ケーブル８０のケーブルコンタクト８５が１つ収容される空間を形成することから、該ケーブルコンタクト８５の外径Ｄに等しい。なお、スリット３６ａそれぞれの上方には、加工金属薄板３０ａの仕切り片３１ａがハウジング１０に設けられた縦溝１９ｃから抜けることを防止すべく、スリット３６ａを挟んで係止段部３８ａが対向するように設けられていることが好ましい。
【００５６】
スリット３６ａには、後述する第３の格子板５０がそれに形成されたスリット５３と噛み合うように挿入される。それにより、第１の格子板３０と第３の格子板５０とが直交した状態で組み立てられ、格子構造体２０を形成する（図１１参照）。したがって、スリット３６ａの幅（左右方向の長さ）は、第３の格子板５０の板厚にほぼ等しい。
【００５７】
加工金属薄板３０ａの隣接するスリット３６ａ間に形成される仕切り片３１ａそれぞれには、上方部分に、同軸ケーブル８０の一端に設けられるケーブルコンタクト８５の抜けを防止する抜け止め片３２ａが形成される。抜け止め片３２ａは、図７、図１３に示されるように、下端を自由端とする板バネ片として前方に向かって切り起こされている。抜け止め片３２ａの自由端がケーブルコンタクト８５のスリーブ８６後端に当接することでケーブルコンタクト８５の抜けが防止される。仕切り片３１ａ上部に設けられた抜け止め片３２ａの真下の適宜位置には、ケーブルコンタクト８５のスリーブ８６に接触する接触片３３ａが形成される。接触片３３ａは、抜け止め片３２ａと同様、下端を自由端とする板バネ片として前方に向かって切り起こされている。
【００５８】
加工金属薄板３０ａのスリット３６ａが形成されていない下方部分には、接触片３３ａの真下にストッパ片３４ａが、スリット３６ａの真下に係止片３５ａが形成される。ストッパ片３４ａは、上端を自由端とする板バネ片として前方に向かって切り起こされ、後述する信号線用コンタクト６０の絶縁体６２に形成されている第１のらせん溝６３ａに係合するように形成されている。係止片３５ａは、下端を自由端とする板バネ片として前方に向かって切り起こされ、後述する第３の格子板５０に形成されている係止凹部５７に係合する位置に形成される。ストッパ片３４ａは、第１のらせん溝６３ａの上端に当接することで、信号線用コンタクト６０の下方への移動を規制する。また、ストッパ片３４ａは、同軸多芯コネクタ１がプリント基板１００に接続されるとき、第１のらせん溝６３ａに沿って移動することで、信号線用コンタクト６０を回転させる機能を有する。
【００５９】
第１の格子板３０は、加工金属薄板３０ａ及び３０ｂを、それぞれの抜け止め片３２ａと３２ｂ、接触片３３ａと３３ｂ、ストッパ片３４ａと３４ｂ、係止片３５ａと３５ｂ及びスリット３６ａと３６ｂが一致するように背中合わせに重ねることで形成される。本実施態様においては、第１の格子板３０は、２つの格子構造体収容空間１１、１２に対応して２つ用意される。
【００６０】
第２の格子板４０は、上記第１の格子板３０に平行に、且つ格子構造体収容空間１１または１２を形成する前後の側壁に沿って配置され、第２の格子板４０の両側端部は、格子構造体収容空間１１または１２に形成される縦溝に収容される。第２の格子板４０は、第１の格子板３０の概略下半分、すなわち、第１の格子板３０の接触片３３ａ、３３ｂが設けられている位置から下側の部分、に対向して配置される。したがって、本実施態様においては、第２の格子板４０は、格子構造体空間１１または１２それぞれに対して２枚、都合４枚用意される。第２の格子板４０は、第１の格子板３０と同様に、同軸ケーブル８０のシールド用外部導体８３に電気的に接続されるシールド兼接地用導体としての機能を有する部材である。第２の格子板４０は、さらに、プリント基板１００の対応する接地用外部電極に接触する接地用コンタクト４９を有する。
【００６１】
第２の格子板４０は、上記第１の格子板３０と同じく、導電性の金属薄板から形成され、図１４に示されるように、前方から見て概略矩形状をなしている。第２の格子板４０は、図１４における左右方向の長さがハウジング１０の格子構造体収容空間１１または１２の左右方向の長さより若干大きい長さを有し、上下方向の長さ（高さ）が格子構造体収容空間１１または１２の深さ（上下方向の長さ）にほぼ等しい長さを有する。
【００６２】
本実施態様における第２の格子板４０は、互いに平行な複数スリット４４が第２の格子板４０を貫通して形成される。該スリット４４は、第３の格子板５０との組み立てを容易にすべく、上方にいくに従い若干幅広くなるように形成されることが好ましい。第２の格子板４０のスリット４４は、第２の格子板４０の概略上方部分に形成され、該スリット４４には、後述する第３の格子板５０のアーム５５と仕切り片５４との間に形成される短いスリット５８と噛み合うように第３の格子板５０が挿入される。それにより、第２の格子板４０と第３の格子板５０とが直交した状態で組み立てられ、格子構造体２０を形成する（図１１参照）。したがって、第２の格子板４０のスリット４４の幅（左右方向の長さ）は、第３の格子板５０の板厚にほぼ等しい。
【００６３】
第２の格子板４０のスリット４４の間隔は、第１の格子板３０に設けられたスリット３６ａまたは３６ｂと同じ間隔ｑであり、その数も第１の格子板３０のスリット３６ａまたは３６ｂの数と同じである。また、第２の格子板４０のスリット４４の下端は、第３の格子板５０の短いスリット５７と噛み合い、格子構造体２０として組み立てられたとき、第２の格子板４０及び第３の格子板５０の上面が面一となるように設定される。
【００６４】
本実施態様における第２の格子板４０の隣接するスリット４４の間４２には、ケーブルコンタクト８５のスリーブ８６に接触する接触片４１が形成される。接触片４１は、上端を自由端とする板バネ片として前方に向かって切り起こされている。
【００６５】
第２の格子板４０のスリット４４が形成されていない下方部分には、接触片４１の真下にストッパ片４３が形成される。第２の格子板４０のストッパ片４３は、上端を自由端とする板バネ片として前方に向かって切り起こされ、後述する信号線用コンタクト６０の絶縁体６２に形成されている第２のらせん溝６３ｂに係合するように形成されている。第２の格子板４０のストッパ片４３は、第１の格子板３０のストッパ片３４ａまたは３４ｂと対向する位置に設けられる。ストッパ片４３は、第２のらせん溝６３ｂの上端に当接することで、信号線用コンタクト６０の下方への移動を規制する。また、ストッパ片４３は、第１の格子板３０のストッパ片３４ａまたは３４ｂと同様に、同軸多芯コネクタ１がプリント基板１００に接続されるとき、らせん溝６３に沿って移動することで、信号線用コンタクト６０を回転させる。すなわち、第２の格子板４０のストッパ片４３は、対向する第１の格子板３０のストッパ片３４ａまたは３４ｂと協働して、信号線用コンタクト６０の下方への移動を規制するとともに、これを回転させる機能を有する（図７参照）。
【００６６】
第２の格子板４０の下端には、適宜間隔を持って、本実施態様では、スリット４４と同じピッチで且つスリット４４の真下に、接地用コンタクト４９が下方に向かって突出形成される。本実施態様における接地用コンタクト４９は、図１４に示されるように、下方に向かって延びる短い垂直部分４９ａ、該垂直部分４９ａから湾曲して左斜め下方に延びる弾性変形部分４９ｂ、及び弾性変形部分４９ｂの先端の接点部分４９ｃを含んでいる。先端接点部分４９ｃは、隣接する接地用コンタクト４０と重なる場合は、接触片４１及びストッパ片４３の自由端が切り起こされている側と同じ側に、段部を介して折り曲げられてもよい（図１１参照）。接地用コンタクト４９の接点部４９ｃは、本実施態様では、格子構造体２０として組み立てられたとき、後述する信号線用コンタクト６０の接点部６１ａより上方に位置するように設定されている。しかしながら、接地用コンタクト４０の接点部４９ｃの上下方向の位置は、これに限られるものではなく、例えば、信号線用コンタクト６０の接点部６１ａより下方に位置するように設定されてもよい。いずれにしても、接点部４９ｃは、接地用コンタクト４９の接触時、プリント基板１００の外部接点との間に所望の接圧を得るためにも、ハウジング１０の下端面より下方に突出するように形成されなければならない。
【００６７】
第３の格子板５０は、上記第１の格子板３０及び第２の格子板４０に直交し、且つ格子構造体収容空間１１または１２を左右方向に複数に仕切る部材である。第３の格子板５０は、また、格子構造体収容空間１１または１２を形成する左右の側壁に沿っても配置される。第３の格子板５０は、上記第１の格子板３０及び第２の格子板４０と格子状に組まれることで、水平断面正方形の枠組を複数形成し、形成される複数の枠組それぞれに同軸ケーブル８０のケーブルコンタクト８５を１つずつ収容する空間を形成する。第３の格子板５０の両側端部は、格子構造体収容空間１１または１２に形成される縦溝１２ｂに収容される。第３の格子板５０は、第２の格子板４０と同様、第１の格子板３０の概略下半分、すなわち、第１の格子板３０の接触片３３ａ、３３ｂが設けられている位置から下側の部分、に直交して配置される。したがって、本実施態様においては、第３の格子板５０は、格子構造体空間１１または１２それぞれに対して接続を予定される同軸ケーブル８０の数プラス１枚だけ用意される。第３の格子板５０は、第１の格子板３０と同様に、同軸ケーブル８０のシールド用外部導体８３に電気的に接続されるシールド兼接地用導体としての機能を有する部材である。
【００６８】
第３の格子板５０は、上記第１、第２の格子板３０、４０と同じく、導電性の金属薄板から形成され、図１５に示されるように、前方から見て概略矩形状をなしている。第３の格子板５０は、図１５における左右方向の長さがハウジング１０の格子構造体収容空間１１または１２の前後方向の長さより若干大きい長さを有し、上下方向の長さ（高さ）が格子構造体収容空間１１または１２の深さ（上下方向の長さ）にほぼ等しい長さを有する。
【００６９】
本実施態様における第３の格子板５０は、図１５において、左右両側に下方に向かって延びる略Ｌ字形のアーム５５、５５が突出形成されるとともに、左右方向ほぼ中心位置に下方に向かって開放するスリット５３が形成されている。それにより、スリット５３の両側には２つの仕切り片５４、５４が形成されるとともに、仕切り片５４とアーム５５との間に短いスリット５８が形成される。
【００７０】
スリット５３は、第１の格子板３０のスリット３６ａ、３６ｂと噛み合い、第１の格子板３０が直交した状態で該スリット５３内に挿入される。それにより、第１の格子板３０と第３の格子板５０が格子状に組まれ、格子構造体２０を形成する。スリット５８は、第２の格子板４０のスリット４４と噛み合い、第２の格子板４０が直交した状態でスリット５８内に挿入される。それにより、第２の格子板３０と第３の格子板５０が格子状に組まれ、格子構造体２０を形成する。このようにして、第１ないし第３の格子板３０、４０及び５０は、格子状に組まれて、同軸ケーブル８０のケーブルコンタクト８５単体が収容される水平断面正方形の角筒状枠組みとしてのケーブルコンタクト収容空間が形成される（図９参照）。
【００７１】
このように水平断面正方形の角筒状枠組みが形成されることで、信号が高速伝送される信号線と角筒状のシールドを構成する第１、第２及び第３の格子板３０、４０及び５０との間には、従来の円筒状のシールドに比べてより大きな空間が確保される。それにより、信号線とシールドとの間に充分なインピーダンスが確保され、従来の信号伝送に比べてより確実な信号の高速伝送が保証される。また、前後左右に隣接する同軸ケーブル８０間でシールドとして機能する第１、第２及び第３の格子板３０、４０及び５０を共有するため、同軸ケーブル８０を高密度に配列することが可能となる。
【００７２】
したがって、第３の格子板５０の仕切り板５４の幅（図１５において左右方向の長さ）ｒは、ケーブルコンタクト８５の直径Ｄに等しく、スリット５３の幅は、第１の格子板３０の板厚に等しく、スリット５５の幅は、第２の格子板４０の板厚に等しい。なお、スリット５３の下方には、第１の格子板３０に設けられている係止片３５ａ、３５ｂが係止する係合凹部５７、５７が、スリット５３を挟んで対向するように、仕切り板５４、５４に形成されている。係止片３５ａ、３５ｂが係合凹部５７、５７に係止することで、第３の係合板５０の上方への抜けが防止される。また、各仕切り板５４、５４の係合凹部５７、５７が形成されている側とは反対側に、第２の格子板４０の下端に形成される接地用コンタクト４９の変位を妨げないように、切欠５９、５９が形成されることが好ましい（図１１参照）。
【００７３】
本実施態様における第３の格子板５０のスリット５３及び短いスリット５８が形成されていない仕切り片５４、５４それぞれの上方部分には、ケーブルコンタクト８５の段部８７ｃに当接し、該ケーブルコンタクト８５の進入を停止する停止片５１が形成される。また、停止片５１の真下には、すなわち、各停止片５１と対応する各仕切り片５４との間には、２つの支持片５２ａ、５２ｂが並列して形成される。
【００７４】
停止片５１は、上端を自由端とする板バネ片として前方（図１５において手前）に向かって切り起こされ、ケーブルコネクタ８５の段部８７ｃに当接し、該ケーブルコンタクト８５のそれ以上の下方への進入を規制するように形成されている。支持片５２ａ、５２ｂは、下端を自由端とする板バネ片として形成され、２つのうちの一方５２ａが前方に向かって、他方５２ｂが後方に向かって切り起こされている。支持片５２ａ、５２ｂは、後述する信号線用コンタクト６０を下方に向けて付勢するコイルバネ６６の上端を支持するように形成されている。
【００７５】
格子構造体２０を構成する信号線用コンタクト６０は、同軸ケーブル８０の高速信号を伝送する中心導体８１をプリント基板１００の対応する外部電極に接続するプローブとして機能する部材である。本実施態様において、信号線用コンタクト６０は、上述した第１、第２及び第３の格子板３０、４０及び５０により形成される水平断面正方形のケーブルコンタクト収容空間内下方に上下動自在に且つ回転自在に配置される。また、プリント基板１００との電気的接触が行われていない非接触時、その先端部がハウジング１０の下端面より下方に突出するように配置される。
【００７６】
本実施態様における信号線用コンタクト６０は、図７及び図１２に示されるように、中心コンタクトピン６１及び絶縁体６２を含んでいる。
【００７７】
中心コンタクトピン６１は、導電性材料から作成され、上方は、ケーブルコンタクト８５のソケット８８に上下方向に摺動可能に挿入され、該ソケット８８と電気的に接続される。中心コンタクトピン６１の下端は、プリント基板１００の対応する外部電極に接触する接点部６１ａとして形成される。中心コンタクトピン６１の接点部６１ａは、図７に示されるように、その他の部分に比べて若干形を大きく形成されていることが好ましい。中心コンタクトピン６１は、上方及び接点部を除いて円柱状の絶縁体６２内に埋め込まれ、一体に形成されている。円柱状絶縁体６２の外径は、第１、第２及び第３の格子板３０、４０及び５０により形成される水平断面正方形のケーブルコンタクト収容空間内に配置されるのであるから、同軸ケーブル８０のケーブルコンタクト８５の外径Ｄにほぼ等しい。
【００７８】
円柱状の絶縁体６２の外周には、図７及び図１２に示されるように、中心コンタクトピン６１を通る中心線に対して対向し、点対象となる位置に第１及び第２のらせん溝６３ａ、６３ｂが形成されている。らせん溝６３ａ、６３ｂは、図１６に示されるように、上方に、外周に沿って形成される傾斜溝部分を有する。該らせん溝６３ａ、６３ｂには、第１の格子板３０に設けられたストッパ片３４ａまたは３４ｂとこれに対応する第２の格子板４０に設けられたストッパ片４３がそれぞれ係合する。したがって、図１６に良く示されるように、信号線用コンタクト６０がハウジング１０に取り付けられている第１、第２の格子板３０、４０に対して相対的に上方に距離ｈだけ移動すると、信号線用コンタクト６０を構成する絶縁体６２が距離ｓだけ右に回転する。それにより、絶縁体６２と一体形成されている中心コンタクトピン６１も回転し、中心コンタクトピン６１の先端接点部６１ａは、該接点部６１ａ及び接触しているプリント基板１００の外部接点それぞれの接触表面をワイピングする。したがって、中心コンタクトピン６１とプリント基板１００の外部接点との電気的接続がより確実になる。
【００７９】
本実施態様における信号線用コンタクト６０は、一端を第３の格子板５０に設けられた支持片５２ａ、５２ｂに支持されたコイルバネ６６の他端が絶縁体６２上面に当接することで下方に向けて付勢される。信号線用コンタクト６０は、らせん溝６３ａ、６３ｂの（傾斜溝）上端に第１の格子板３０に設けられたストッパ片３４ａまたは３４ｂ及びこれに対応する第２の格子板４０に設けられたストッパ片４３がそれぞれ当接することで下方への移動を抑えられている。
【００８０】
なお、信号線用コンタクト６０の絶縁体６２の下方は、接地用コンタクト４９との干渉を避けるために、本実施態様のように絶縁体の外径より小さい小径部分６４を形成してもよい。また、本実施態様における信号線用コンタクト６０の絶縁体６２は、円柱形状であるとしているが、これに限られるものではない。例えば、四角柱状であってもよい。但し、この場合、絶縁体６２を回転させることはできないから、絶縁体６２の外周に形成されるらせん溝は、上下方向に延びる直線溝となる。したがって、接点部６１ａを回転させることはできず、ワイピング効果を期待することはできない。
【００８１】
以下、本発明に係る同軸多芯コネクタ１の組立及び複数の同軸ケーブル８０のプリント基板１００への電気的接続について簡単に説明する。
【００８２】
第１、第２及び第３の格子板３０、４０及び５０を格子状に組み、それにより形成される水平断面正方形の複数の角筒状枠組それぞれにさらに信号線用コンタクト６０を組み込むことで格子構造体２０が形成される。該格子構造体２０は、ハウジング１０に形成され、下方に向かって開放される格子構造体収容空間１１及び１２に、下方から挿入することで本願発明に係る同軸多芯コネクタ１が形成される。
【００８３】
次に、同軸ケーブル８０のケーブルコネクタ８５を、ハウジング１０の上方に開放する同軸ケーブル収容空間１９の第１の格子板３０で仕切られている各円部１９ａ内に上方から挿入する。ケーブルコネクタ８５は、そのコネクタ本体８７に形成される段部８７ｃが第３の格子板５０に形成されている停止片５１の自由端に当接するまで挿入される（図７参照）。この時、ケーブルコネクタ８５は、そのスリーブ８６後端が第１の格子体３０の抜け止め片３２ａまたは３２ｂの自由端に当接し、ハウジング１０からの抜けが防止される。
【００８４】
また、スリーブ８６が第１の格子体３０の接触片３３ａまたは３３ｂ及び第２の格子板４０の接触片４１と接触し、第１、第２及び第３の格子体３０、４０及び５０は、同軸ケーブル８０の外部導体８３に電気的に接続される。さらに、信号線用コンタクト６０の中心コンタクトピン６１がケーブルコンタクト８５の管状ソケット８８内に挿入され、中心コンタクトピン６１は、同軸ケーブル８０の中心導体８１に電気的に接続される。
【００８５】
このようにして、同軸ケーブル８０が装着された同軸多芯コネクタ１のハウジング１０は、上述したように、予めプリント基板１００に固定されている固定ガイド９０を介して、プリント基板１００に取り付けられる。
【００８６】
以上本発明に係る同軸多芯コネクタの好ましい実施態様について説明してきたが、同軸多芯コネクタは本実施態様に限られるものではない。
【００８７】
例えば、格子構造体は、ハウジングを上下方向に貫通する格子構造該収容空間内に収容されるようにしてもよい。この場合、第１、第２及び第３の格子板はいずれもハウジングとほぼ同じ高さを有し、ハウジングの上方に形成される同軸ケーブル収容空間も水平断面正方形になる。また、ハウジングのプリント基板への取り付け機構も、例えば、ボルトとナットを用いて取り付けるようにしてもよいし、予めプリント基板に設けられたラッチなどを利用して取り付けるようにしてもよい。
【図面の簡単な説明】
【００８８】
【図１】プリント基板に接続される本発明に係る同軸多芯コネクタを示す概略正面図である。
【図２】プリント基板に接続される直前の状態を説明するための、図１の同軸多芯コネクタの断面正面図である。
【図３】プリント基板に接続された状態を説明するための、図２と同様の同軸多芯コネクタの断面正面図である。
【図４】プリント基板に接続された状態を示す図３の同軸多芯コネクタを左側から見た側面図である。
【図５】図１の同軸多芯コネクタ用の、プリント基板に予め取り付けられる固定ガイドの上面図である。
【図６】図１の同軸多芯コネクタの概略下面図である。
【図７】図６のＯ３−Ｏ３線に沿って断面したハウジングの概略後半分の断面図であり、部分的に、同軸ケーブルが接続され、コンタクトがプリント基板に接触している状態を示している。
【図８】図７のＡ−Ａ線に沿って断面した、同軸ケーブルが接続されていない状態のハウジングの部分断面図であり、さらに、部分的に、格子構造体を構成する第３の格子板がＢ−Ｂ線に沿って断面された状態を示している。
【図９】図７のハウジングの概略部分拡大底面図である。
【図１０】図７のハウジングの概略部分拡大上面図である。
【図１１】図７に示されるハウジングの格子構造体のみの部分斜視図である。
【図１２】格子構造体を構成する信号線用コンタクトの斜視図である。
【図１３】格子構造体を構成する第１の格子板の正面図である。
【図１４】格子構造体を構成する第２の格子板の正面図である。
【図１５】格子構造体を構成する第３の格子板の正面図である。
【図１６】信号線用コンタクト及び接地用コンタクトのプリント基板への接触を説明するための図であり、（ａ）は、接触直前の状態、（ｂ）は接触完了時の状態をそれぞれ示す。
【図１７】同軸ケーブルの一端部に形成される接続端部の構造を説明するための図であり、（ａ）は、正面図、（ｂ）は断面図である。
【符号の説明】
【００８９】
１                      同軸多芯コネクタ
１０                    ハウジング
１１、１２              格子構造体収容空間
２０                    格子構造体
３０                    第１の格子板
３４ａ、３４ｂ          ストッパ片
４０                    第２の格子板
４３                    ストッパ片
４９                    接地用コンタクト
５０                    第３の格子板
６０                    信号線用コンタクト
６１                    中心コンタクトピン
６３ａ、６３ｂ          らせん溝
６６                    コイルバネ
６２                    円柱状絶縁体
７０                    スライダ
７１                    スライダレバー
７２                    スライダ本体
７６                    フック
８０                    同軸ケーブル
８１                    中心導体
８３                    外部導体（シールド）
９０                    固定ガイド
９５                    係合ピン
１００                  プリント基板
【図１】
0005007817.tif 000002
【図２】
0005007817.tif 000003
【図３】
0005007817.tif 000004
【図４】
0005007817.tif 000005
【図５】
0005007817.tif 000006
【図６】
0005007817.tif 000007
【図７】
0005007817.tif 000008
【図８】
0005007817.tif 000009
【図９】
0005007817.tif 000010
【図１０】
0005007817.tif 000011
【図１１】
0005007817.tif 000012
【図１２】
0005007817.tif 000013
【図１３】
0005007817.tif 000014
【図１４】
0005007817.tif 000015
【図１５】
0005007817.tif 000016
【図１６】
0005007817.tif 000017
【図１７】
0005007817.tif 000018